(57)【特許請求の範囲】
【請求項１】
電気機器収納用箱体の内部に搭載された機器と機器の間にできるスペースを覆うためのブランクパネルであって、該ブランクパネルは前記電気機器収納用箱体内部の左右に取り付けられたマウントアングルとマウントアングルの間に取り付けられるパネルと、該パネルの裏側に設けられる保持部からなり、該保持部は高さを変えて段階的に設けた複数の係止部と、該係止部の高さに合わせると共に段階的に複数設けられた嵌合部とからなることを特徴とする工具レスブランクパネル。
【発明の詳細な説明】
【技術分野】
【０００１】
本発明は、電気機器収納用箱体の内部に工具を用いずに取り付けられるブランクパネルに関するものである。
【背景技術】
【０００２】
従来、図６に示すように情報通信キャビネット等の電気機器収納用箱体内部のマウントアングルに取り付けられるブランクパネルは、パネル５１の両端に保持部５２を設け、ネジ５９によってタップ用マウントアングル５７やケージナット用マウントアングルに取り付け、又は取り外しを行っていた。又、ケージナット用マウントアングルにマウントアングルを取り付ける場合にはケージナットを使用する必要があった。
【０００３】
そのため、工具を用いて作業するため時間がかかっていた。又、取り付けに必要となるネジやケージナットは付属品であるため、同梱し忘れる恐れがあった。
【０００４】
この改善策として、特許文献１に記載されているような、電子回路基板を実装するシェルフの電子回路基板が実装されない部分の前面開口部を覆うため、シェルフに少なくとも１枚実装されるブランクパネルであって、弾性を有する帯板状に形成された基部と、シェルフの前面開口部を画定する枠と係合する係合部と、ブランクパネルと枠との相対位置を位置決め、固定するための取り外し可能な位置決め部とを備え、基部を弓状に曲折させて係合部を枠と係合させた後、基部を元の形状に復帰させて取り付けるブランクパネルを用いることが考えられる。
【特許文献１】特開２０００−１９６２６４
【発明の開示】
【発明が解決しようとする課題】
【０００５】
しかしながら、特許文献１に記載のブランクパネルでは基部に弾性を有する部材を選定する必要があるため、使用できる材質が限られるという欠点がある。
【０００６】
又、特許文献１に記載のブランクパネルでは連結手段が備えられており、これによって機器への配線の妨げとなったりメンテナンス時に作業の妨げになる恐れがあるという欠点がある。又、この連結手段は取り外し可能であるが、そのために紛失の恐れがあるという欠点がある。
【０００７】
又、特許文献１に記載のブランクパネルには取り付けのために位置決め部が設けてあり、取り付けのためにマウントアングルに切欠部を設ける必要があるという欠点がある。
【０００８】
このため、本発明によって解決しようとする課題は、電気機器収納用箱体の内部に搭載された機器と機器の間にできるスペースを覆うために設けられるマウントアングルに取り付けられるブランクパネルであって、工具を用いずに取付が可能で、多種類のマウントアングルに共通して使用可能な工具レスブランクパネルを提供することにある。
【課題を解決するための手段】
【０００９】
上記した課題を解決するためになされた本発明の工具レスブランクパネルは、電気機器収納用箱体の内部に搭載された機器と機器の間にできるスペースを覆うためのブランクパネルであって、ブランクパネルはマウントアングルとマウントアングルの間に取り付けられるパネルと、パネルの裏側に設けられる保持部からなり、保持部は高さを変えて段階的に設けた複数の係止部と、係止部の高さに合わせると共に段階的に複数設けられた嵌合部とからなるものである。
【発明の効果】
【００１０】
本発明の工具レスブランクパネルによれば、嵌合部をマウントアングルに設けられたタップ穴、又は角穴に嵌め合わせ、係止部がマウントアングルに掛かることで係止するため、工具を用いずにブランクパネルの取付が可能である。又、工具を用いずに取り付け、及び取り外しが可能であるため作業効率の向上を図ることが可能である。
【００１１】
又、ネジやケージナット等の固定金具を必要としないため同梱し忘れる恐れをなくすことが可能であり、且つコストを削減することも可能である。
【００１２】
又、段階的に設けた係止部と嵌合部によって取り付けるため、タップ用マウントアングル及びケージナット用マウントアングルの両方に共通して使用可能である。
【発明を実施するための最良の形態】
【００１３】
本発明では、電気機器収納用箱体の内部に搭載された機器と機器の間にできるスペースを覆うためにマウントアングルに取り付けられるブランクパネルを、工具を用いずにタップ用マウントアングル及びケージナット用マウントアングルに取り付け可能にした。
【実施例１】
【００１４】
以下、本発明の実施の形態を説明する。
電気機器収納用箱体の内部に搭載された機器と機器の間にできるスペースを覆うためのブランクパネルであって、ブランクパネルはマウントアングルとマウントアングルの間に取り付けられる断面がコ字状のパネル１、１１、２１と、パネル１、１１、２１の裏側両端に設けられる保持部２、１２、２２とからなり、保持部２、１２、２２は高さを変えて段階的に設けた複数の係止部と、係止部の高さに合わせると共に段階的に複数設けられた嵌合部とからなる。係止部は高さの違う第一係止部３、１３、２３と第二係止部４、１４、２３を縦に二段に設け、この係止部に合わせて二段に設けた嵌合部は円柱状の第一嵌合部５、１５、２５と、第一嵌合部５、１５、２５より太く、低い位置に十字状に形成された第二嵌合部６、１６、２６とからなる。タップ用マウントアングル１７に取り付ける際は、第一嵌合部５、１５、２５をマウントアングルに設けられたタップ穴に嵌め込み、第一係止部３、１３、２３を開口に掛けることによって工具を用いずに取り付けることが可能である。又、ケージナット用マウントアングル２８に取り付ける際には、第二嵌合部６、１６、２６をマウントアングルに設けられたケージナット用の角穴に嵌め込み、第二係止部４、１４、２４を開口に掛けることによって、工具を用いずに取り付けることが可能となり、第二嵌合部６、１６、２６を第一嵌合部５、１５、２５より大きく形成することによってタップ穴よりも直径の大きな角穴のケージナット用マウントアングル２８に取り付けた際であってもブランクパネルのぐら付きを少なくすることが可能である。又、第一係止部３、１３、２３、及び第二係止部４、１４、２４のマウントアングル当接面を緩い傾斜に設けることで少ない力での取り外しが可能である。
【実施例２】
【００１５】
電気機器収納用箱体の内部に搭載された機器と機器の間にできるスペースを覆うためのブランクパネルであって、ブランクパネルはマウントアングルとマウントアングルの間に取り付けられる断面がコ字状のパネル３１と、パネル３１の裏側両端に設けられる保持部３２からなり、保持部３２は高さの違う複数の係止部を段階的に設けた係止部と、係止部の高さに合わせると共に段階的に複数設けられた嵌合部とからなる。係止部は高さの違う第一係止部３３と第二係止部３４を縦に二段に設け、この係止に合わせて二段に設けた嵌合部は円柱状の第一嵌合部３５と、第一嵌合部３５より太く、低い位置に十字状に形成された第二嵌合部３６とからなる。タップ用マウントアングルに取り付ける際は、第一嵌合部３５をマウントアングルに設けられたタップ穴に嵌め込み、第一係止部３３を開口に掛けることによって工具を用いずに取り付けることが可能である。又、ケージナット用マウントアングルに取り付ける際には、第二嵌合部３６をマウントアングルに設けられたケージナット用の角穴に嵌め込み、第二係止部３４を開口に掛けることによって、工具を用いずに取り付けることが可能となり、第二嵌合部３６を第一嵌合部３５より大きく形成することによってタップ穴よりも直径の大きな角穴のケージナット用マウントアングルに取り付ける際であってもブランクパネルのぐら付きを少なくすることが可能である。又、第一係止部３３、及び第二係止部３４のマウントアングル当接面を緩い傾斜に設けることで少ない力での取り外しが可能である。又、パネルの裏側にケーブルホルダー部３７を設けることで機器への配線を整線することができ、メンテナンス性の向上を図ることが可能である。
【実施例３】
【００１６】
電気機器収納用箱体の内部に搭載された機器と機器の間にできるスペースを覆うためのブランクパネルであって、ブランクパネルはマウントアングルとマウントアングルの間に取り付けられる断面がコ字状のパネル４１と、パネル４１の裏側両端に設けられる保持部４２からなり、保持部４２は高さの違う複数の係止部を段階的に設けた係止部と、係止部の高さに合わせると共に段階的に複数設けられた嵌合部とからなる。係止部は高さの違う第一係止部４３と第二係止部４４を縦に二段に設け、この係止に合わせて二段に設けた嵌合部は円柱状の第一嵌合部４５と、第一嵌合部４５より太く、低い位置に十字状に形成された第二嵌合部４６とからなる。タップ用マウントアングルに取り付ける際は、第一嵌合部４５をマウントアングルに設けられたタップ穴に嵌め込み、第一係止部４３を開口に掛けることによって工具を用いずに取り付けることが可能である。又、ケージナット用マウントアングルに取り付ける際には、第二嵌合部４６をマウントアングルに設けられたケージナット用の角穴に嵌め込み、第二係止部４４を開口に掛けることによって、工具を用いずに取り付けることが可能となり、第二嵌合部４６を第一嵌合部４５より大きく形成することによってタップ穴よりも直径の大きな角穴のケージナット用マウントアングルに取り付ける際であってもブランクパネルのぐら付きを少なくすることが可能である。又、第一係止部４３、及び第二係止部４４のマウントアングル当接面を緩い傾斜に設けることで少ない力での取り外しが可能である。又、第一係止部４３、及び第二係止部４４をパネル４１と一体に設けることで、係止部によるブランクパネルの裏側を通る電線等への損傷等の恐れを少なくすることが可能である。
【００１７】
以上のように、本発明の工具レスブランクパネルは、電気機器収納用箱体の内部に搭載された機器と機器のスペースを覆うために設けられるマウントアングルに取り付けられるブランクパネルであって、工具を用いずに取付が可能で、タップ用マウントアングル及びケージナット用マウントアングルに共通して使用可能な工具レスブランクパネルを提供できるものである。
【図面の簡単な説明】
【００１８】
【図１】本発明の実施例１における、工具レスブランクパネルの背面斜視図である。
【図２】本発明の実施例１における、タップ用マウントアングルに取り付けた際の保持部の拡大側面図である。
【図３】本発明の実施例１における、ケージナット用マウントアングルに取り付けた際の保持部の拡大側面図である。
【図４】本発明の実施例２における、工具レスブランクパネルの斜視図である。
【図５】本発明の実施例３における、工具レスブランクパネルの保持部の拡大斜視図である。
【図６】従来技術におけるブランクパネルの斜視図である。
【符号の説明】
【００１９】
１、１１、２１、３１、４１、５１    パネル
２、１２、２２、３２、４２、５２    保持部
３、１３、２３、３３、４３    第一係止部
４、１４、２４、３４、４４    第二係止部
５、１５、２５、３５、４５    第一嵌合部
６、１６、２６、３６、４６    第二嵌合部
１７、５７    タップ用マウントアングル
２８    ケージナット用マウントアングル
３７    ケーブルホルダー部
５９    ネジ
【図１】
0004958816.tif 000002
【図２】
0004958816.tif 000003
【図３】
0004958816.tif 000004
【図４】
0004958816.tif 000005
【図５】
0004958816.tif 000006
【図６】
0004958816.tif 000007